(57)【要約】【課題】プロトコル処理の複雑さを軽減し、効率的に通信を行うことができる端末装置、基地局装置、方法、および集積回路に関する技術を提供すること。【解決手段】端末装置が、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する。【選択図】図１３
2020129718.tif 000002
【特許請求の範囲】
【請求項１】
端末装置であって、
ＭＲ−ＤＣの解放が起動された事に基づいて、
もしＭＲ−ＤＣにおいてＮＲのセカンダリセルグループが設定されているなら、少なくとも前記セカンダリセルグループに対して設定されたメジャメント設定を解放し、ＮＲのセカンダリセルグループが設定されていないなら、ＮＥ−ＤＣの解放を起動する、処理部を有する、
端末装置。
【請求項２】
請求項１記載の端末装置であって、前記処理部は、
ＲＲＣ接続の再確立が起動された事および／またはＲＲＣ接続の復帰が起動された事に基づいて、ＭＲ−ＤＣが設定されている場合にＭＲ−ＤＣの解放を起動する
請求項１記載の端末装置。
【請求項３】
基地局装置であって、
ＭＲ−ＤＣの解放を端末装置に通知することによって、
ＭＲ−ＤＣにおいてＮＲのセカンダリセルグループが設定されている前記端末装置に、少なくとも前記セカンダリセルグループに対して設定されたメジャメント設定を解放させ、ＮＲのセカンダリセルグループが設定されていない前記端末装置に、ＮＥ−ＤＣの解放を起動させる、処理部を有する、
基地局装置。
【請求項４】
端末装置に適用される方法であって、
ＭＲ−ＤＣの解放が起動された事に基づいて、
もしＭＲ−ＤＣにおいてＮＲのセカンダリセルグループが設定されているなら、少なくとも前記セカンダリセルグループに対して設定されたメジャメント設定を解放し、ＮＲのセカンダリセルグループが設定されていないなら、ＮＥ−ＤＣの解放を起動する、ステップを少なくとも含む方法。
【請求項５】
請求項４記載の方法であって、前記方法は、
ＲＲＣ接続の再確立が起動された事および／またはＲＲＣ接続の復帰が起動された事に基づいて、ＭＲ−ＤＣが設定されている場合にＭＲ−ＤＣの解放を起動するステップを含む請求項４記載の方法。
【請求項６】
基地局装置に適用される方法であって、
ＭＲ−ＤＣの解放を端末装置に通知することによって、
ＭＲ−ＤＣにおいてＮＲのセカンダリセルグループが設定されている前記端末装置に、少なくとも前記セカンダリセルグループに対して設定されたメジャメント設定を解放させ、ＮＲのセカンダリセルグループが設定されていない前記端末装置に、ＮＥ−ＤＣの解放を起動させるステップを少なくとも含む方法。
【請求項７】
端末装置に実装される集積回路であって、
ＭＲ−ＤＣの解放が起動された事に基づいて、
もしＭＲ−ＤＣにおいてＮＲのセカンダリセルグループが設定されているなら、少なくとも前記セカンダリセルグループに対して設定されたメジャメント設定を解放し、ＮＲのセカンダリセルグループが設定されていないなら、ＮＥ−ＤＣの解放を起動する機能を前記端末装置に対して発揮させる集積回路。
【請求項８】
請求項７記載の集積回路であって、前記集積回路は、
ＲＲＣ接続の再確立が起動された事および／またはＲＲＣ接続の復帰が起動された事に基づいて、ＭＲ−ＤＣが設定されている場合にＭＲ−ＤＣの解放を起動する機能を前記端末装置に対して発揮させる請求項７記載の集積回路。
【請求項９】
基地局装置に実装される集積回路であって、
ＭＲ−ＤＣの解放を端末装置に通知することによって、
ＭＲ−ＤＣにおいてＮＲのセカンダリセルグループが設定されている前記端末装置に、少なくとも前記セカンダリセルグループに対して設定されたメジャメント設定を解放させ、ＮＲのセカンダリセルグループが設定されていない前記端末装置に、ＮＥ−ＤＣの解放を起動させる機能を前記基地局装置に対して発揮させる集積回路。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：Ｅ−ＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１  ｖ１５．３．０,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  ｖ１５．３．０，“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０ｖ  １５．４．０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００ｖ  １５．３．０,“ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１  ｖ１５．３．０,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３  ｖ１５．３．０,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２  ｖ１５．３．０,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１  ｖ１５．３．０,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１５．０．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２  ｖ１５．３．０,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４  ｖ１５．１．０,“ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  ＲＰ−１６１２６６、  “５Ｇ  Ａｒｃｈｉｔｅｃｔｕｒｅ  Ｏｐｔｉｏｎｓ−Ｆｕｌｌ  Ｓｅｔ”
【発明の概要】
【発明が解決しようとする課題】
【０００５】
ＮＲの技術検討の一つとして、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当てて、あるいは二つのＮＲのセルグループをＵＥに割り当てて、端末装置と１つ以上の基地局装置とが通信する仕組み（ＭＲ−ＤＣ：Ｍｕｌｔｉ−Ｒａｄｉｏ  Ｄｕａｌ  Ｃｏｎｎｅｃｔｉｖｉｔｙ）が検討されている（非特許文献８）。
【０００６】
しかしながら、Ｅ−ＵＴＲＡとＮＲとで利用する通信プロトコルのフォーマットや機能が異なるため、また非特許文献８に記載される通り、ＭＲ−ＤＣの形態によって利用されるコア網が異なるため、ＲＡＴとしてＥ−ＵＴＲＡのみ、コア網としてＬＴＥのコア網であるＥＰＣのみを用いる従来のＬＴＥでのＤｕａｌ  Ｃｏｎｎｅｃｔｉｖｉｔｙに比べ、プロトコル処理が複雑になり、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
（１）上記の目的を達成するために、本発明の一態様は、以下のような手段を講じた。すなわち端末装置であって、ＭＲ−ＤＣの解放が起動された事に基づいて、もしＭＲ−Ｄ
ＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する、処理部を有する。
【０００９】
（２）本発明の第２の態様は基地局装置であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させる処理部を有する。
【００１０】
（３）本発明の第３の態様は端末装置に適用される方法であって、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する、ステップを少なくとも含む。
【００１１】
（４）本発明の第４の態様は基地局装置に適用される方法であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させるステップを少なくとも含む。
【００１２】
（５）本発明の第５の態様は、端末装置に実装される集積回路であって、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する機能を前記端末装置に対して発揮させる。
【００１３】
（６）本発明の第６の態様は基地局装置に実装される集積回路であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させる機能を前記基地局装置に対して発揮させる。
【００１４】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１５】
本発明の一態様によれば、端末装置は、プロトコル処理の複雑さを軽減し、効率的に通信を行うことができる。
【図面の簡単な説明】
【００１６】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣ２０８及び／又はＲＲＣ３０８における、各種設定のための手順のフローの一例を示す図。
【図５】本発明の各実施の形態における端末装置の構成を示すブロック図。
【図６】本発明の各実施の形態における基地局装置の構成を示すブロック図。
【図７】本発明の実施の形態１におけるＵＥ１２２の処理方法の一例。
【図８】本発明の実施の形態１におけるＵＥ１２２内部において、ＮＲ側からＥ−ＵＴＲＡ側に対し、ＭＲ−ＤＣにおけるＥ−ＵＴＲＡセカンダリセルグループの解放が起動される一例。
【図９】本発明の実施の形態２における、ＲＲＣ再設定メッセージに含まれる、セカンダリセルグループに関する設定の解放と追加が同時に行われる事を示す情報のＡＳＮ．１記述の一例。
【図１０】本発明の実施の形態３におけるＵＥ１２２の処理方法の一例。
【図１１】本発明の実施の形態３におけるＵＥ１２２内部において、Ｅ−ＵＴＲＡ側からＮＲ側に対し、ＭＲ−ＤＣにおけるＮＲセカンダリセルグループの解放が起動される一例。
【図１２】本発明の実施の形態３におけるＵＥ１２２内部において、Ｅ−ＵＴＲＡ側からＮＲ側に対し、ＭＲ−ＤＣにおけるＮＲセカンダリセルグループの解放が起動される別の一例。
【図１３】本発明の実施の形態３におけるＵＥ１２２内部において、ＭＲ−ＤＣにおけるＮＲセカンダリセルグループの解放が起動される一例。
【図１４】本発明の実施の形態３におけるＵＥ１２２内部において、ＭＲ−ＤＣにおけるＮＲセカンダリセルグループの解放が起動される別の一例。
【発明を実施するための形態】
【００１７】
以下、本発明の実施の形態について、図面を参照して詳細に説明する。
【００１８】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ  Ｄｕａｌ  ｃｏｎｎｅｃｔｉｖｉｔｙで接続可能なＬＴＥは、従来のＬＴＥと区別されてもよい。また、コアネットワークが５ＧＣであるＬＴＥは、コアネットワークがＥＰＣである従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００１９】
図１は本発明の各実施の形態に係る通信システムの概略図である。
【００２０】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡ１００の基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ１００用のコア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２１】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎ
ｏｄｅ  Ｂ）１０８は、ＮＲ１０６の基地局装置である。５ＧＣ１１０は、非特許文献２等に記載のコア網であり、ＮＲ１０６用のコア網として設計されているが、５ＧＣ１１０に接続する機能をもつＥ−ＵＴＲＡ１００用のコア網として使われても良い。以下Ｅ−ＵＴＲＡ１００とは５ＧＣ１１０に接続する機能をもつＥ−ＵＴＲＡ１００を含んでも良い。
【００２２】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、及びインタフェース１２４等はＣＰのみ、又はＵＰのみ、又はＣＰ及びＵＰ両方を通すインタフェースであっても良い。また、インタフェース１１４、インタフェース１１６、インタフェース１１８、インタフェース１２０、及びインタフェース１２４等は、通信事業者が提供する通信システムに応じて存在しない場合もあっても良い。
【００２３】
ＵＥ１２２はＮＲ１０６に対応、又はＥ−ＵＴＲＡ１００及びＮＲ１０６両方対応した端末装置である。非特許文献３、及び／又は（ａｎｄ／ｏｒ）非特許文献９に記載の通り、ＵＥ１２２が、Ｅ−ＵＴＲＡ１００、及び／又はＮＲ１０６を介してコア網と接続する際、ＵＥ１２２と、Ｅ−ＵＴＲＡ１００、及び／又はＮＲ１０６との間に、無線ベアラ（ＲＢ：Ｒａｄｉｏ  Ｂｅａｒｅｒ）と呼ばれる論理経路が確立される。ＣＰに用いられる無線ベアラは、シグナリング無線ベアラ（ＳＲＢ：Ｓｉｇｎａｌｉｎｇ  Ｒａｄｉｏ  Ｂｅａｒｅｒ）と呼ばれ、ＵＰに用いられる無線ベアラは、データ無線ベアラ（ＤＲＢ  Ｄａｔａ  Ｒａｄｉｏ  Ｂｅａｒｅｒ）と呼ばれる。各ＲＢは、ＲＢ識別子（ＲＢ  Ｉｄｅｎｔｉｔｙ，又はＲＢ  ＩＤ）が割り当てられ、一意に識別される。ＳＲＢ用ＲＢ識別子は、ＳＲＢ識別子（ＳＲＢ  Ｉｄｅｎｔｉｔｙ，又はＳＲＢ  ＩＤ）と呼ばれ、ＤＲＢ用ＲＢ識別子は、ＤＲＢ識別子（ＤＲＢ  Ｉｄｅｎｔｉｔｙ，又はＤＲＢ  ＩＤ）と呼ばれる。
【００２４】
非特許文献３に記載の通り、ＵＥ１２２の接続先コア網がＥＰＣ１０４である場合、ＵＥ１２２と、Ｅ−ＵＴＲＡ１００、及び／又はＮＲ１０６との間に確立された各ＤＲＢは更に、ＥＰＣ１０４内を経由する各ＥＰＳ（Ｅｖｏｌｖｅｄ  Ｐａｃｋｅｔ  Ｓｙｓｔｅｍ）ベアラと一意に紐づけられる。各ＥＰＳベアラは、ＥＰＳベアラ識別子（Ｉｄｅｎｔｉｔｙ，又はＩＤ）が割り当てられ、一意に識別される。また同一のＥＰＳベアラを通るデータは同一のＱｏＳが保証される。
【００２５】
非特許文献９に記載の通り、ＵＥ１２２の接続先コア網が５ＧＣ１１０である場合、ＵＥ１２２と、Ｅ−ＵＴＲＡ１００、及び／又はＮＲ１０６との間に確立された一つ又は複数のＤＲＢは更に、５ＧＣ１１０内に確立されるＰＤＵ（Ｐａｃｋｅｔ  Ｄａｔａ  Ｕｎｉｔ）セッションの一つに紐づけられる。各ＰＤＵセッションには、一つ又は複数のＱｏＳフローが存在する。各ＤＲＢは、紐づけられているＰＤＵセッション内に存在する、一つ又は複数のＱｏＳフローと対応付け（ｍａｐ）されても良いし、どのＱｏＳフローと対応づけられなくても良い。各ＰＤＵセッションは、ＰＤＵセッション識別子（Ｉｄｅｎｔｉｔｙ，又はＩＤ）で識別される。また各ＱｏＳフローは、ＱｏＳフロー識別子で識別される。また同一のＱｏＳフローを通るデータは同一のＱｏＳが保証される。
【００２６】
ＥＰＣ１０４には、ＰＤＵセッション、及び／又はＱｏＳフローは存在せず、５ＧＣ１１０にはＥＰＳベアラは存在しない。言い換えると、ＵＥ１２２がＥＰＣ１０４と接続している際、ＵＥ１２２はＥＰＳベアラの情報を持ち、ＵＥ１２２が５ＧＣ１１０と接続している際、ＵＥ１２２はＰＤＵセッション、及び／又はＱｏＳフローの情報を持つ。
【００２７】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２８】
図２（Ａ）はＥ−ＵＴＲＡ１００においてＵＥ１２２がｅＮＢ１０２と通信を行う際に用いるＵＰのプロトコルスタック図である。
【００２９】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００３０】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３１】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３２】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３３】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３４】
図２（Ｂ）はＥ−ＵＴＲＡ１００において、ＵＥ１２２がｅＮＢ１０２、および認証やモビリティマネージメントなどの機能を提供する論理ノードであるＭＭＥ（Ｍｏｂｉｌｉｔｙ  Ｍａｎａｇｅｍｅｎｔ  Ｅｎｔｉｔｙ）と通信を行う際に用いるＣＰのプロトコル
スタック図である。
【００３５】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８、およびＮＡＳ（ｎｏｎ  Ａｃｃｅｓｓ  Ｓｔｒａｒｕｍ）２１０が存在する。ＲＲＣ２０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい。またＲＢのうちＲＬＣ２０４とＭＡＣ２０２で構成される部分をＲＬＣベアラと呼んでも良い（非特許文献４）。また、ＭＭＥとＵＥ１２２との間の信号を運ぶＮＡＳレイヤに対して、ＵＥ１２２とｅＮＢ１０２との間の信号を運ぶＰＨＹ２００、ＭＡＣ２０２、ＲＬＣ２０４、ＰＤＣＰ２０６、ＲＲＣ２０８の一部のレイヤあるいはすべてのレイヤをＡＳ（Ａｃｃｅｓｓ  Ｓｔｒａｒｕｍ）レイヤと称してよい。
【００３６】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３７】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３８】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３９】
図３（Ａ）はＮＲ１０６においてＵＥ１２２がｇＮＢ１０８と通信を行う際に用いるＵＰのプロトコルスタック図である。
【００４０】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４１】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４２】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４３】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４４】
ＳＤＡＰ（Ｓｅｒｖｉｃｅ  Ｄａｔａ  Ａｄａｐｔａｔｉｏｎ  Ｐｒｏｔｏｃｏｌ）３１０は、５ＧＣ１１０から基地局装置を介して端末装置に送られるダウンリンクのＱｏＳフローとＤＲＢとの対応付け（マッピング：ｍａｐｐｉｎｇ）、及び端末装置から基地局装置を介して５ＧＣ１１０に送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。
【００４５】
図３（Ｂ）はＮＲ１０６において、ＵＥ１２２がｇＮＢ１０８、および認証やモビリティマネージメントなどの機能を提供する論理ノードであるＡＭＦ（Ａｃｃｅｓｓ  ａｎｄ  Ｍｏｂｉｌｉｔｙ  Ｍａｎａｇｅｍｅｎｔ  ｆｕｎｃｔｉｏｎ）と通信を行う際に用いるＣＰのプロトコルスタック図である。
【００４６】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８、およびＮＡＳ（ｎｏｎ  Ａｃｃｅｓｓ  Ｓｔｒａｒｕｍ）３１２が存在する。ＲＲＣ３０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。また、ＡＭＦとＵＥ１２２との間の信号を運ぶＮＡＳレイヤに対して、ＵＥ１２２とｇＮＢ１０８との間の信号を運ぶＰＨＹ２００、ＭＡＣ２０２、ＲＬＣ２０４、ＰＤＣＰ２０６、ＲＲＣ２０８の一部のレイヤあるいはすべてのレイヤをＡＳ（Ａｃｃｅｓｓ  Ｓｔｒａｒｕｍ）レイヤと称してよい。
【００４７】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００４８】
なお、端末装置、及び／又は（ａｎｄ／ｏｒ）基地局装置に設定される各層の事を、エンティティと呼んでも良い。即ち、端末装置、及び／又は基地局装置に設定される、ＭＡＣ層、ＲＬＣ層、ＰＤＣＰ層、ＳＤＡＰ層、及びＲＲＣ層の事を、ＭＡＣエンティティ、ＲＬＣエンティティ、ＰＤＣＰエンティティ、ＳＤＡＰエンティティ、及びＲＲＣエンティティと、それぞれ呼んでも良い。
【００４９】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５０】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。また、Ｅ−ＵＴＲＡ１００において、ＵＥ１２２がｅＮＢ１０２と通信する場合であってもＰＤＣＰとしてＮＲ  ＰＤＣＰが使われても良い。
【００５１】
また、ＳＲＢは、次のＳＲＢ０からＳＲＢ３が定義されてよい。ＳＲＢ０は、論理チャネルのＣＣＣＨ（Ｃｏｍｍｏｎ  Ｃｏｎｔｒｏｌ  ＣＨａｎｎｅｌ）を用いたＲＲＣメッセージのためのＳＲＢであってよい。ＳＲＢ１は、（ピギーバックされたＮＡＳメッセージを含むかもしれない）ＲＲＣメッセージのため、およびＳＲＢ２の確立前のＮＡＳメッセージのためのＳＲＢであってよく、すべて論理チャネルのＤＣＣＨ（Ｄｅｄｉｃａｔｅｄ  Ｃｏｎｔｒｏｌ  ＣＨａｎｎｅｌ）が用いられてよい。ＳＲＢ２は、ＮＡＳメッセージのためのＳＲＢであってよく、すべて論理チャネルのＤＣＣＨが用いられてよい。また、ＳＲＢ２はＳＲＢ１よりも低い優先度であってよい。ＳＲＢ３は、ＵＥ１２２がＥＮ−ＤＣ，ＮＧＥＮ−ＤＣ、ＮＲ−ＤＣなどが設定されているときの特定のＲＲＣメッセージのためのＳＲＢであってよく、すべて論理チャネルのＤＣＣＨが用いられてよい。また、その他の用途のために他のＳＲＢが用意されてもよい。
【００５２】
次にＬＴＥにおけるＵＥ１２２の状態遷移について説明する。ＵＥ１２２は、ＲＲＣ接続が設立されている（ＲＲＣ  ｃｏｎｎｅｃｔｉｏｎ  ｈａｓ  ｂｅｅｎ  ｅｓｔａｂｌ
ｉｓｈｅｄ）とき、ＲＲＣ＿ＣＯＮＮＥＣＴＥＤ状態であってよい。また、ＵＥ１２２は、ＲＲＣ接続が休止しているとき、（もしＵＥ１２２が５ＧＣに接続しているなら）ＲＲＣ＿ＩＮＡＣＴＩＶＥ状態であってよい。もし、それらのケースでないなら、ＵＥ１２２は、ＲＲＣ＿ＩＤＬＥ状態であってよい。
【００５３】
なお、ＥＰＣに接続するＵＥ１２２は、ＲＲＣ＿ＩＮＡＣＴＩＶＥ状態を持たないが、Ｅ−ＵＴＲＡＮによってＲＲＣ接続の休止が開始されてもよい。この場合、ＲＲＣ接続が休止されるとき、ＵＥ１２２はＵＥのＡＳコンテキストと復帰に用いる識別子（ｒｅｓｕｍｅＩｄｅｎｔｉｔｙ）を保持してＲＲＣ＿ＩＤＬＥ状態に遷移する。ＵＥ１２２がＵＥのＡＳコンテキストを保持しており、かつＥ−ＵＴＲＡＮによってＲＲＣ接続の復帰が許可（Ｐｅｒｍｉｔ）されており、かつＵＥ１２２がＲＲＣ＿ＩＤＬＥ状態からＲＲＣ＿ＣＯＮＮＥＣＴＥＤ状態に遷移する必要があるとき、休止されたＲＲＣ接続の復帰が上位レイヤ（例えばＮＡＳレイヤ）によって開始されてよい。
【００５４】
すなわち、ＥＰＣに接続するＵＥ１２２と、５ＧＣに接続するＵＥ１２２とで、休止の定義が異なってよい。また、ＵＥ１２２がＥＰＣに接続している場合（ＲＲＣ＿ＩＤＬＥ状態で休止している場合）と５ＧＣに接続している場合（ＲＲＣ＿ＩＮＡＣＴＩＶＥ状態で休止している場合）とで、休止から復帰する手順のすべてあるいは一部が異なってよい。
【００５５】
ＵＥ１２２が保持するＵＥのＡＳコンテキストは、現在のＲＲＣ設定、現在のセキュリティコンテキスト、ＲＯＨＣ（ＲＯｂｕｓｔ  Ｈｅａｄｅｒ  Ｃｏｍｐｒｅｓｓｉｏｎ）状態を含むＰＤＣＰ状態、接続元（Ｓｏｕｒｃｅ）のＰＣｅｌｌで使われていたＣ−ＲＮＴＩ、セル識別子（ｃｅｌｌＩｄｅｎｔｉｔｙ）、接続元のＰＣｅｌｌの物理セル識別子、のすべてあるいは一部を含む情報であってよい。なお、ｅＮＢ１０２および／またはｇＮＢ１０８の保持するＵＥのＡＳコンテキストは、ＵＥ１２２が保持するＵＥのＡＳコンテキストと同じ情報を含んでもよいし、ＵＥ１２２が保持するＵＥのＡＳコンテキストに含まれる情報とは異なる情報が含まれてもよい。
【００５６】
セキュリティコンテキストとは、ＡＳレベルにおける暗号鍵、ＮＨ（Ｎｅｘｔ  Ｈｏｐ
ｐａｒａｍｅｔｅｒ）、次ホップのアクセス鍵導出に用いられるＮＣＣ（Ｎｅｘｔ  Ｈｏｐ  Ｃｈａｉｎｉｎｇ  Ｃｏｕｎｔｅｒ  ｐａｒａｍｅｔｅｒ）、選択されたＡＳレベルの暗号化アルゴリズムの識別子、リプレイ保護のために用いられるカウンター、のすべてあるいは一部を含む情報であってよい。
【００５７】
図４は、本発明の各実施の形態におけるＲＲＣ２０８及び／又は（ａｎｄ／ｏｒ）ＲＲＣ３０８における、各種設定のための手順（ｐｒｏｃｅｄｕｒｅ）のフローの一例を示す図である。図４（Ａ）は、基地局装置（ｅＮＢ１０２及び／又はｇＮＢ１０８）から端末装置（ＵＥ１２２）にＲＲＣメッセージが送られる場合のフローの一例であり、図４（Ｂ）は端末装置（ＵＥ１２２）から基地局装置（ｅＮＢ１０２及び／又はｇＮＢ１０８）にＲＲＣメッセージが送られる場合のフローの一例である。
【００５８】
図４（Ａ）において、基地局装置はＲＲＣメッセージを作成する（ステップＳ４００）。基地局装置におけるＲＲＣメッセージの作成は、基地局装置が報知情報（ＳＩ：Ｓｙｓｔｅｍ  Ｉｎｆｏｒｍａｔｉｏｎ）やページング情報を配信する際に行われても良いし、基地局装置が特定の端末装置に対して処理を行わせる必要があると判断した際、例えばセキュリティに関する設定や、ＲＲＣ接続の再設定（無線線ベアラの処理（確立、変更、解放など）や、セルグループの処理（確立、追加、変更、解放など）、メジャメント（測定）設定、ハンドオーバ設定など）、ＲＲＣ接続状態の解放などの際に行われても良い。また後述するステップＳ４０８で特定の端末装置から受け取るＲＲＣメッセージに対し応答するため行われても良いし、これ以外の時に行われても良い。ＲＲＣメッセージには各種情報通知や設定のためのパラメータが含まれる。非特許文献４又は非特許文献１０などのＲＲＣに関する仕様書では、これらのパラメータは、フィールド及び／又は情報要素呼ばれ、ＡＳＮ．１（Ａｂｓｔｒａｃｔ  Ｓｙｎｔａｘ  Ｎｏｔａｔｉｏｎ  Ｏｎｅ）という記述方式を用いて記述される。
【００５９】
図４（Ａ）において、次に基地局装置は、作成したＲＲＣメッセージを端末装置に送信する（ステップＳ４０２）。次に端末装置は受信した上述のＲＲＣメッセージに従って、設定などの処理が必要な場合には処理を行う（ステップＳ４０４）。
【００６０】
図４（Ｂ）において、端末装置はＲＲＣメッセージを作成する（ステップＳ４０６）。端末装置におけるＲＲＣメッセージの作成は、基地局装置に対する要求が発生した際、例えば上位レイヤからの要求等によるＲＲＣ接続の確立、無線リンク失敗やランダムアクセス失敗、無線同期外れなどの検出によるＲＲＣ接続の再確立、上位レイヤからの要求や無線アクセス網（Ｒａｄｉｏ  Ａｃｃｅｓｓ  Ｎｅｔｗｏｒｋ：ＲＡＮ）ページング応答によるＲＲＣ接続一時保留（ｓｕｓｐｅｎｄ）の解除（ｒｅｓｕｍｅ）などの際に行われても良いし、上述のステップＳ４０２基地局装置から受け取るＲＲＣメッセージに対し応答するため行われても良いし、これ以外の時に行われても良い。なお、各実施形態の説明において、「ＲＲＣ接続一時保留」は「ＲＲＣ接続の休止」とも称する。また、「ＲＲＣ接続一時保留の解除」は「ＲＲＣ接続の（休止状態からの）復帰」とも称する。
【００６１】
図４（Ｂ）において、次に端末装置は、作成したＲＲＣメッセージを基地局装置に送信する（ステップＳ４０８）。次に基地局装置は受信した上述のＲＲＣメッセージに従って、処理が必要な場合には処理を行う（ステップＳ４１０）。
【００６２】
なお、ＲＲＣメッセージは、上述の例に限らず、非特許文献４や、特許文献１０などに記載の通り、他の目的で作成されても良い。
【００６３】
例えば、ＲＲＣメッセージは、Ｄｕａｌ  Ｃｏｎｎｅｃｔｉｖｉｔｙ（ＤＣ）や、非特許文献８に記載のＭｕｌｔｉ−Ｒａｄｉｏ  Ｄｕａｌ  Ｃｏｎｎｅｃｔｉｖｉｔｙ（ＭＲ−ＤＣ）に関する設定に用いられても良い。
【００６４】
Ｄｕａｌ  Ｃｏｎｎｅｃｔｉｖｉｔｙ（ＤＣ）とは、２つの基地局装置（ノード）がそれぞれ構成するセルグループ、すなわちマスターノード（Ｍａｓｔｅｒ  Ｎｏｄｅ：ＭＮ）が構成するマスタセルグループ（Ｍａｓｔｅｒ  Ｃｅｌｌ  Ｇｒｏｕｐ：ＭＣＧ）及びセカンダリノード（Ｓｅｃｏｎｄｅｒｙ  Ｎｏｄｅ：ＳＮ）が構成するセカンダリセルグループ（Ｓｅｃｏｎｄｅｒｙ  Ｃｅｌｌ  Ｇｒｏｕｐ：ＳＣＧ）の両方の無線リソースを利用してデータ通信を行う技術であっても良い。また非特許文献８に記載のＭＲ−ＤＣとは、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、ＭＣＧとＳＣＧの両方の無線リソースを利用してデータ通信を行う技術であっても良い。ＭＲ−ＤＣにおいて、マスターノードとは、ＭＲ−ＤＣに係る主なＲＲＣ機能、例えば、セカンダリノードの追加、ＲＢの確立、変更、及び解放、ＭＣＧの追加、変更、解放、ハンドオーバ等の機能、を持つ基地局であっても良く、セカンダリノードとは、一部のＲＲＣ機能、例えばＳＣＧの変更、及び解放等、を持つ基地局であっても良い。
【００６５】
非特許文献８に記載のＭＲ−ＤＣにおいて、マスターノード側のＲＡＴのＲＲＣが、ＭＣＧ及びＳＣＧ両方の設定を行うために用いられても良い。例えばコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ
）、コア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）において、非特許文献４に記載のＥ−ＵＴＲＡのＲＲＣメッセージがｅＮＢ１０２とＵＥ１２２との間で送受信されても良い。この場合ＲＲＣメッセージには、ＬＴＥ（Ｅ−ＵＴＲＡ）の設定情報だけでなく、非特許文献１０に記載の、ＮＲの設定情報が含まれても良い。またｅＮＢ１０２からＵＥ１２２に送信されるＲＲＣメッセージは、ｅＮＢ１０２からｇＮＢ１０８を経由してＵＥ１２２に送信されても良い。また、本ＲＲＣメッセージの構成は、非ＭＲ−ＤＣであって、ｅＮＢ１０２（拡張型ｅＮＢ）がコア網として５ＧＣを用いる、Ｅ−ＵＴＲＡ／５ＧＣ（非特許文献１７に記載のオプション５）に用いられても良い。以下、明記しない限りＥＮ−ＤＣはＮＧＥＮ−ＤＣを含んでもよい。
【００６６】
また逆に、非特許文献８に記載のＭＲ−ＤＣにおいて、コア網が５ＧＣ１１０で、マスターノードがｇＮＢ１０８である場合のＭＲ−ＤＣの一つである、ＮＥ−ＤＣ（ＮＲ−Ｅ−ＵＴＲＡ  Ｄｕａｌ  Ｃｏｎｎｅｃｔｉｖｉｔｙ）において、非特許文献１０に記載のＮＲのＲＲＣメッセージがｇＮＢ１０８とＵＥ１２２との間で送受信されても良い。この場合ＲＲＣメッセージには、ＮＲの設定情報だけでなく、非特許文献４に記載の、ＬＴＥ（Ｅ−ＵＴＲＡ）の設定情報が含まれても良い。またｇＮＢ１０８からＵＥ１２２に送信されるＲＲＣメッセージは、ｇＮＢ１０８からｅＮＢ１０２を経由してＵＥ１２２に送信されても良い。コア網が５ＧＣ１１０で、マスターノード、およびセカンダリノードの両方がｇＮＢ１０８である場合のＭＲ−ＤＣである、ＮＲ−ＤＣ（ＮＲ  Ｄｕａｌ  Ｃｏｎｎｅｃｔｉｖｉｔｙ）において、非特許文献１０に記載のＮＲのＲＲＣメッセージがｇＮＢ１０８とＵＥ１２２との間で送受信されても良い。またｇＮＢ１０８からＵＥ１２２に送信されるＲＲＣメッセージは、ｇＮＢ１０８から他のｇＮＢ１０８を経由してＵＥ１２２に送信されても良い。また、ＮＲ−ＤＣは、ＮＮ−ＤＣ、Ｎ２−ＤＣ、ＮＲ２−ＤＣあるいはＮＲＮＲ−ＤＣなどと表現されてもよい。
【００６７】
図５は本発明の各実施の形態における端末装置（ＵＥ１２２）の構成を示すブロック図である。なお、説明が煩雑になることを避けるために、図５では、本発明と密接に関連する主な構成部のみを示す。
【００６８】
図５に示すＵＥ１２２は、ｅＮＢ１０２及び／又はｇＮＢ１０８よりＲＲＣメッセージ等を受信する受信部５００、及び受信したメッセージに含まれる各種情報要素（ＩＥ：Ｉｎｆｏｒｍａｔｉｏｎ  Ｅｌｅｍｅｎｔ）、及び／又は各種フィールド、及び／又は各種条件等の、設定情報に従って処理を行う処理部５０２から成る。また処理部５０２は、ＤＣを設定しているＵＥ１２２内部で、ＭＣＧ側からＳＣＧ側に対する要求や指示を起動（ｔｒｉｇｇｅｒ）する処理を行っても良い。例えばＭＲ−ＤＣを設定しているＵＥ１２２内部において、例えば非特許文献８に記載のＥＮ−ＤＣや、ＮＧＥＮ−ＤＣにおいてはＥ−ＵＴＲＡ側からＮＲ側、また例えば非特許文献８に記載のＮＥ−ＤＣにおいてはＮＲ側からＥ−ＵＴＲＡ側に対する要求や指示を起動（ｔｒｉｇｇｅｒ）する処理を行っても良い。また処理部５０２は、ＤＣを設定しているＵＥ１２２内部のＳＣＧ側で、ＭＣＧ側から起動された処理を行っても良い。例えば非特許文献８に記載のＥＮ−ＤＣや、ＮＧＥＮ−ＤＣにおいてはＮＲ側でＥ−ＵＴＲＡ側から起動された処理、また例えば非特許文献８に記載のＮＥ−ＤＣにおいてはＥ−ＵＴＲＡ側でＮＲ側から起動された処理を行っても良い。なお、ＭＲ−ＤＣを設定しているとは、ＭＲ−ＤＣを処理していると言っても良いし、ＭＲ−ＤＣを操作していると言っても良い。なおここで、ＮＲ側、Ｅ−ＵＴＲＡ側とはそれぞれ、ＮＲ  ＲＲＣ、Ｅ−ＵＴＲＡ  ＲＲＣであっても良い。
【００６９】
図６は本発明の各実施の形態における基地局装置（ｅＮＢ１０２及び／又はｇＮＢ１０８）の構成を示すブロック図である。なお、説明が煩雑になることを避けるために、図６では、本発明と密接に関連する主な構成部のみを示す。
【００７０】
図６に示すｅＮＢ１０２及び／又はｇＮＢ１０８は、ＵＥ１２２へＲＲＣメッセージ等を送信する送信部６００、及び各種情報要素（ＩＥ：Ｉｎｆｏｒｍａｔｉｏｎ  Ｅｌｅｍｅｎｔ）、及び／又は各種フィールド、及び／又は各種条件等の、設定情報を含めたＲＲＣメッセージを作成し、ＵＥ１２２に送信する事により、ＵＥ１２２の処理部５０２に処理を行わせる処理部６０２から成る。
【００７１】
（実施の形態１）
本発明の実施の形態１を説明する。本発明の実施の形態１ではＭＣＧ側がＮＲであり、ＳＣＧ側がＮＲであるＭＲ−ＤＣを想定して説明するが、これに限らず他のＭＲ−ＤＣに適用されても良い。なお、本発明の各実施形態は、他の一つまたは複数の実施形態と組み合わせて実施してよい。
【００７２】
測定（ｍｅａｓｕｒｅｍｅｎｔ、メジャメントとも称する）について説明する。以下の説明ではｇＮＢ１０８がＮＲのＲＲＣメッセージ（ＲＲＣシグナリング）を用いる例を説明するが、これに限らず、ｅＮＢ１０２がＬＴＥのＲＲＣメッセージ（ＲＲＣシグナリング）を用いて同様の処理を行なってもよい。なお、メッセージに含まれる情報および／またはメッセージの構造は一例であり、これに限定されるものではない。
【００７３】
ｇＮＢ１０８は、ＵＥ１２２に対して、ＲＲＣシグナリング（無線リソース制御信号）のＲＲＣ再設定（ＲＲＣＲｅｃｏｎｆｉｇｕｒａｔｉｏｎ）メッセージを使って（ＲＲＣ再設定メッセージに含めて）、測定（メジャメント）設定（Ｍｅａｓｕｒｅｍｅｎｔ  ｃｏｎｆｉｇｕｒａｔｉｏｎ）情報要素（測定設定とも称する）を送信する。ＵＥ１２２は、通知された測定設定に含まれる情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  ｏｂｊｅｃｔ）にリストされたセル（ｇＮＢ１０８からＵＥ１２２へ隣接セルリストとして通知されているセル）である。検出セルは、測定対象（Ｍｅａｓｕｒｅｍｅｎｔ  ｏｂｊｅｃｔ）によって指示された周波数とサブキャリア間隔においてＵＥ１２２が検出したが測定対象（Ｍｅａｓｕｒｅｍｅｎｔ  ｏｂｊｅｃｔ）にはリストされていないセル（隣接セルリストとして通知されていないＵＥ１２２自身が検出したセル）である。
【００７４】
ＵＥ１２２は、通知された測定設定を保持するために変数ＶａｒＭｅａｓＣｏｎｆｉｇを持ってよい。また、ＵＥ１２２は、報告条件に合致した測定情報を保持するために、変数ＶａｒＭｅａｓＲｅｐｏｒｔＬｉｓｔを持ってよい。ＭＲ−ＤＣにおいて、ＵＥ１２２はＭＣＧによって（あるいはＭＣＧに対して、あるいはＭＣＧに紐づけられて）設定された第１の測定設定を保持するための変数ＶａｒＭｅａｓＣｏｎｆｉｇと第１の測定設定の報告条件に合致した測定情報を保持するための変数ＶａｒＭｅａｓＲｅｐｏｒｔＬｉｓｔと、ＳＣＧによって（あるいはＳＣＧに対して、あるいはＳＣＧに紐づけられて）設定された第２の測定設定を保持するための変数ＶａｒＭｅａｓＣｏｎｆｉｇと第２の測定設定の報告条件に合致した測定情報を保持するための変数ＶａｒＭｅａｓＲｅｐｏｒｔＬｉｓｔ、とを個別に持ってよい。また、ＭＲ−ＤＣにおいて、ＵＥ１２２はＭＣＧによって（あるいはＭＣＧに対して、あるいはＭＣＧに紐づけられて）設定された測定設定によって制御されるタイマー（例えばＭＣＧによって設定された測定設定に基づいた測定情報を周期的に報告するために用いられるタイマーやグローバル識別子の測定に用いられるタイマーＴ３２１など）と、ＳＣＧによって（あるいはＳＣＧに対して、あるいはＳＣＧに紐づけられて）設定された測定設定によって制御されるタイマー（例えばＳＣＧによって設定された測定設定に基づいた測定情報を周期的に報告するために用いられるタイマーやグローバル識別子の測定に用いられるタイマーＴ３２１など）とを個別に持って（管理して）よい。このとき、ＭＣＧとＳＣＧとで同一の目的のために使用されるタイマー名は同一名称であってもよいし、異なる名称であってもよい。また、ＳＣＧが複数設定されている場合は、変数ＶａｒＭｅａｓＣｏｎｆｉｇは、ＳＣＧごとに持ってもよいし、すべてのＳＣＧに対して一つ持ってもよい。また、ｇＮＢ１０８から通知される測定設定は、ＭＣＧの測定設定とＳＣＧの測定設定とに区別されて通知されてよい。例えば、（Ａ）第１のＲＲＣ再設定メッセージにＭＣＧに対する測定設定が含まれ、第１のＲＲＣ再設定メッセージに含まれるＭＲ−ＤＣのＳＣＧに関する情報を示すフィールドに、エンカプセル化されたＳＣＧのＲＲＣ再設定メッセージ（第２のＲＲＣ再設定メッセージ）が含まれ、この第２のＲＲＣ再設定メッセージにＳＣＧに対する測定設定が含まれてよい。このとき、ＭＣＧの測定設定を通知する第１のＲＲＣ再設定メッセージとＳＣＧの測定設定を通知する第１のＲＲＣ再設定メッセージとは、同じＲＲＣ再設定メッセージであってもよいし、異なるタイミングで通知される異なるＲＲＣ再設定メッセージであってもよい。または、（Ｂ）ＭＣＧの測定設定がＳＲＢ１で通知され、ＳＣＧの測定設定がＳＲＢ３で通知されてもよい。また、ＭＣＧの測定設定とＳＣＧの測定設定との識別に（Ａ）と（Ｂ）の何れかまたは両方が考慮されてもよい。または、ＭＣＧの測定設定とＳＣＧの測定設定との識別は、その他の情報に基づいて行われてもよい。
【００７５】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＮＲ）とは異なる無線技術（例えばＵＴＲＡ、ＧＥＲＡＮ，ＣＤＭＡ２０００、Ｅ−ＵＴＲＡなど）での測定である。
【００７６】
測定設定には、測定識別子（ｍｅａｓＩｄ）の追加および／または修正リスト、測定識別子の削除リスト、測定対象（Ｍｅａｓｕｒｅｍｅｎｔ  ｏｂｊｅｃｔｓ）の追加および／または修正リスト、測定対象の削除リスト、報告設定（Ｒｅｐｏｒｔｉｎｇ  ｃｏｎｆｉｇｕｒａｔｉｏｎｓ）の追加および／または修正リスト、報告設定の削除リスト、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）の設定、の一部あるいは全部が含まれてよい。
【００７７】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＮＲおよび／またはＥ−ＵＴＲＡの場合、第３層フィルタ係数（Ｌ３
ｆｉｌｔｅｒｉｎｇ  ｃｏｅｆｆｉｃｉｅｎｔ）を指定する。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、ＵＥ１２２でイベント評価に利用される。
【００７８】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定はセル毎、セルグループ毎、コンポーネントキャリア毎、サービングセル毎、あるいは既定の周波数範囲毎に独立して設
定されてもよい。
【００７９】
＜サービングセル品質閾値（ｓ−Ｍｅａｓｕｒｅ）＞
サービングセル品質閾値（ｓ−Ｍｅａｓｕｒｅ）は、サービングセルの品質に関する閾値を表し、ＵＥ１２２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）に対する値として設定される。
【００８０】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定は、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【００８１】
測定設定に含まれる測定識別子の削除リストには、測定識別子のリストが含まれ、ＵＥ１２２は、測定識別子の削除リストに含まれる各々の測定識別子に対して次の（Ａ）から（Ｃ）の処理を行う。（Ａ）測定設定の対象となるセルグループの変数ＶａｒＭｅａｓＣｏｎｆｉｇからこの測定識別子のエントリーを削除する。（Ｂ）もし含まれていれば、測定設定の対象となるセルグループの変数ＶａｒＭｅａｓＲｅｐｏｒｔＬｉｓｔからこの測定識別子に対する測定報告のエントリーを削除する。（Ｃ）この測定識別子のための周期報告のために用いられるタイマーあるいはタイマーＴ３２１を、タイマーがスタートしている場合は停止し、この測定識別子に対する関連情報をリセットする。なお、タイマーＴ３２１は、セルグローバル識別子の測定を目的とした報告設定を含む測定設定を受信したときに開始されるタイマーであり、このタイマーが満了すると測定報告のプロシージャが開始される。また、このタイマーは、後述する報告設定の削除リストにセルグローバル識別子の測定を目的とした報告設定の識別子が含まれる場合や、検出したセルがＳＩＢ１を報知していない場合などに停止する。このタイマーＴ３２１はＭＣＧとＳＣＧとで独立したタイマーであってもよいし、共通のタイマーであってもよいし、ＭＣＧあるいはＳＣＧのみで用いられるタイマーであってもよい。独立したタイマーである場合は、ＵＥ１２２は、測定設定の対象となるセルグループに基づいて、どちらのタイマーを用いるかを判断してもよい。また、周期報告のために用いられるタイマーはＭＣＧとＳＣＧとで独立したタイマーであってもよいし、共通のタイマーであってもよいし、ＭＣＧあるいはＳＣＧのみで用いられるタイマーであってもよい。独立したタイマーである場合は、ＵＥ１２２は、測定設定の対象となるセルグループに基づいて、どちらのタイマーを用いるかを判断してもよい。例えば、目的によって、モビリティやセカンダリセルの検出に有用な周期報告のために用いられるタイマーはＭＣＧとＳＣＧとで独立したタイマーとしてＵＥ１２２が持ち、主にネットワークの最適化に用いられるセルグローバル識別子の測定のためのタイマーＴ３２１はＭＣＧでのみ用いられるタイマーとしてＵＥ１２２が持つようにしてもよい。または、ＵＥ１２２は、ＭＣＧとＳＣＧの両方にタイマーＴ３２１の開始を伴う測定設定が同時に設定されることがないと仮定して動作してもよい。これによりＵＥ１２２の設計が複雑になることを抑制できる。
【００８２】
測定設定に含まれる測定識別子の追加および／または修正リストには、測定識別子のリストが含まれ、ＵＥ１２２は、測定識別子の追加および／または修正リストに含まれる各々の測定識別子に対して次の（Ａ）から（Ｃ）の処理を行う。（Ａ）もし、この測定識別子と合致する測定識別子のエントリーが測定設定の対象となるセルグループの変数ＶａｒＭｅａｓＣｏｎｆｉｇに含まれる測定識別子のリストに存在するなら、この測定識別子のための受信した値（ｔｈｅ  ｖａｌｕｅ  ｒｅｃｅｉｖｅｄ  ｆｏｒ  ｔｈｉｓ  ｍｅａｓＩｄ）でエントリーを置き換える。そうでなければ、測定設定の対象となるセルグループの変数ＶａｒＭｅａｓＣｏｎｆｉｇに、この測定識別子のための新しいエントリーを追加する。（Ｂ）もし含まれていれば、測定設定の対象となるセルグループの変数ＶａｒＭｅａｓＲｅｐｏｒｔＬｉｓｔから、この測定識別子のための測定報告エントリーを削除する。（Ｃ）この測定識別子のための周期報告のために用いられるタイマーあるいはタイマーＴ３２１を、タイマーがスタートしている場合は停止し、この測定識別子に対する関連情報をリセットする。
【００８３】
測定設定に含まれる測定対象の削除リスト（ｍｅａｓＯｂｊｅｃｔＴｏＲｅｍｏｖｅＬｉｓｔ）は、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除する情報を含むフィールドである。この際、指定された測定対象識別子（ｍｅａｓＯｂｊｅｃｔＩｄ）に対応付けられた測定設定の対象となるセルグループのすべての測定識別子（ｍｅａｓＩｄ）は、削除されてよい。このフィールドは、同時に複数の測定対象識別子（ｍｅａｓＯｂｊｅｃｔＩｄ）の指定が可能である。
【００８４】
測定設定に含まれる測定対象の追加および／または修正リスト（ｍｅａｓＯｂｊｅｃｔＴｏＡｄｄＭｏｄＬｉｓｔ）は、測定対象識別子（ｍｅａｓＯｂｊｅｃｔＩｄ）で指定された測定対象（Ｍｅａｓｕｒｅｍｅｎｔ  ｏｂｊｅｃｔｓ）を修正、または、測定対象識別子（ｍｅａｓＯｂｊｅｃｔＩｄ）で指定された測定対象（Ｍｅａｓｕｒｅｍｅｎｔ  ｏｂｊｅｃｔｓ）を追加する情報を含むフィールドである。このフィールドは、同時に複数の測定対象識別子（ｍｅａｓＯｂｊｅｃｔＩｄ）の指定が可能である。
【００８５】
測定設定に含まれる報告設定の削除リスト（ｒｅｐｏｒｔＣｏｎｆｉｇＴｏＲｅｍｏｖｅＬｉｓｔ）は、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除する情報を含むフィールドである。この際、指定された報告設定識別子（ｒｅｐｏｒｔＣｏｎｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【００８６】
報告設定の追加および／または修正リスト（ｒｅｐｏｒｔＣｏｎｆｉｇＴｏＡｄｄＭｏｄＬｉｓｔ）は、報告設定識別子（ｒｅｐｏｒｔＣｏｎｆｉｇＩｄ）で指定された報告設定（Ｒｅｐｏｒｔｉｎｇ  ｃｏｎｆｉｇｕｒａｔｉｏｎｓ）を修正、または、報告設定識別子（ｒｅｐｏｒｔＣｏｎｆｉｇＩｄ）で指定された報告設定（Ｒｅｐｏｒｔｉｎｇ  ｃｏｎｆｉｇｕｒａｔｉｏｎｓ）を追加する情報を含むフィールドである。このフィールドは、同時に複数の報告設定識別子（ｒｅｐｏｒｔＣｏｎｆｉｇＩｄ）の指定が可能である。
【００８７】
測定識別子の削除リスト（ｍｅａｓＩｄＴｏＲｅｍｏｖｅＬｉｓｔ）は、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【００８８】
測定識別子の追加および／または修正リスト（ｍｅａｓＩｄＴｏＡｄｄＭｏｄｉｆｙＬｉｓｔ）は、指定された測定識別子（ｍｅａｓＩｄ）を指定された測定対象識別子（ｍｅ
ａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【００８９】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに設定（規定）される。なお、測定対象は、ＲＡＴがＮＲの場合においては、周波数およびサブキャリア間隔ごとに設定されてよい。また、報告設定（Ｒｅｐｏｒｔｉｎｇ  ｃｏｎｆｉｇｕｒａｔｉｏｎｓ）は、ＮＲに対する規定と、ＮＲ以外のＲＡＴに対する規定とがあってよい。
【００９０】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象がＮＲである測定対象ＮＲ（ｍｅａｓＯｂｊｅｃｔＮＲ）、測定対象がＥ−ＵＴＲＡである測定対象ＥＵＴＲＡ（ｍｅａｓＯｂｊｅｃｔＥＵＴＲＡ）が含まれてよい。また、測定対象には、測定対象がＵＴＲＡである測定対象ＵＴＲＡ（ｍｅａｓＯｂｊｅｃｔＵＴＲＡ）、測定対象がＧＥＲＡＮである測定対象ＧＥＲＡＮ（ｍｅａｓＯｂｊｅｃｔＧＥＲＡＮ）、測定対象がＣＤＭＡ２０００である測定対象ＣＤＭＡ２０００（ｍｅａｓＯｂｊｅｃｔＣＤＭＡ２０００）、測定対象がＷＬＡＮである測定対象ＷＬＡＮ（ｍｅａｓＯｂｊｅｃｔＷＬＡＮ）、の一部あるいは全部が含まれてもよい。
【００９１】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごと、さらにＮＲではサブキャリア間隔ごとに規定される。測定対象（Ｍｅａｓｕｒｅｍｅｎｔ  ｏｂｊｅｃｔｓ）は、Ｅ−ＵＴＲＡ、ＵＴＲＡ、ＧＥＲＡＮ、ＣＤＭＡ２０００に対して別途仕様化されてよい。ＮＲに対する測定対象（Ｍｅａｓｕｒｅｍｅｎｔ  ｏｂｊｅｃｔｓ）である測定対象ＮＲ（ｍｅａｓＯｂｊｅｃｔＮＲ）は、ＮＲのサービングセルおよび隣接セルに対して適用される情報を規定する。なお、何れの測定対象識別子で示される測定対象がサービングセルに対応するかは測定設定の含まれるＲＲＣメッセージおよび／または測定設定の含まれないＲＲＣメッセージに含まれる情報要素（例えばサービングセル設定）で示されてよい。
【００９２】
測定対象ＮＲ（ｍｅａｓＯｂｊｅｃｔＮＲ）には、同期信号を含むブロック（ＳＳＢ）の周波数情報（ｓｓｂＦｒｅｑｕｅｎｃｙ）、ＳＳＢのサブキャリア間隔（ｓｓｂＳｕｂｃａｒｒｉｅｒＳｐａｃｉｎｇ）、測定対象とするセルのリストに関する情報、測定から除外するブラックリストに関する情報、測定を行うホワイトリストに関する情報、の一部あるいは全部が含まれてよい。
【００９３】
測定対象とするセルのリストに関する情報は、イベント評価や、測定報告の対象となるセルに関する情報を含む。測定対象とするセルのリストに関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれる。
【００９４】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別
子（ｒｅｐｏｒｔＣｏｎｆｉｇＩｄ）と対応付けられた報告設定ＮＲ（ｒｅｐｏｒｔＣｏｎｆｉｇＮＲ）などが含まれる。
【００９５】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＮＲに対する規定と、ＮＲ以外のＲＡＴ（ＵＴＲＡ、ＧＥＲＡＮ、ＣＤＭＡ２０００、Ｅ−ＵＴＲＡ、の一部あるいは全部）に対する規定があってよい。ＮＲに対する報告設定（Ｒｅｐｏｒｔｉｎｇ  ｃｏｎｆｉｇｕｒａｔｉｏｎｓ）である報告設定ＮＲ（ｒｅｐｏｒｔＣｏｎｆｉｇＮＲ）は、ＮＲにおける測定の報告に利用するイベントのトリガ条件（ｔｒｉｇｇｅｒｉｎｇ  ｃｒｉｔｅｒｉａ）を規定する。
【００９６】
また、報告設定ＮＲ（ｒｅｐｏｒｔＣｏｎｆｉｇＮＲ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）、の一部あるいは全部が含まれてよい。
【００９７】
次に、報告設定ＮＲ（ｒｅｐｏｒｔＣｏｎｆｉｇＮＲ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ  ｒｅｐｏｒｔｉｎｇ）もある。
【００９８】
イベントトリガ条件としては、後述の６種類が少なくとも規定されてよい。イベント識別子（ｅｖｅｎｔＩｄ）によって指定されたイベントトリガ条件を満たした場合、ＵＥ１２２は、ｇＮＢ１０８に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、参照信号受信電力（ＲＳＲＰ）、または、参照信号受信品質（ＲＳＲＱ）が指定される。すなわち、ＵＥ１２２は、このトリガ量（ｔｒｉｇｇｅｒＱｕａｎｔｉｔｙ）によって指定された量を利用して、下りリンクの同期信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、参照信号受信電力（ＲＳＲＰ）または参照信号受信品質（ＲＳＲＱ）が指定される。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【００９９】
なお、イベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏｆｆ
ｓｅｔ、ｃ１＿Ｔｈｒｅｓｈｏｌｄ、ｃ２＿Ｏｆｆｓｅｔ）は、報告設定ＮＲ（ｒｅｐｏｒｔＣｏｎｆｉｇＮＲ）において、イベント識別子（ｅｖｅｎｔＩｄ）と一緒に、ＵＥ１２２へ通知されてよい。
【０１００】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、ｇＮＢ１０８から指定されたイベントに対する加入条件を満たしたＵＥ１２２は、ｇＮＢ１０８に対して測定報告（ｍｅａｓｕｒｅｍｅｎｔ  ｒｅｐｏｒｔ）を送信する。また、ｇＮＢ１０８から指定されたイベントに対する離脱条件を満たしたＵＥ１２２は、ｇＮＢ１０８から離脱条件を満たす場合に報告をトリガするように設定されていた場合（報告設定にｒｅｐｏｒｔＯｎＬｅａｖｅが含まれる場合）に、ｇＮＢ１０８に対して測定報告（ｍｅａｓｕｒｅｍｅｎｔ  ｒｅｐｏｒｔ）を送信する。
【０１０１】
また、ＮＲ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＮＲ以外のＲＡＴにおける測定の報告に利用するイベントのトリガ条件（ｔｒｉｇｇｅｒｉｎｇ  ｃｒｉｔｅｒｉａ）が複数定義されている。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生する。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生する。
【０１０２】
なお、ｇＮＢ１０８は、サービングセル品質閾値（ｓ−Ｍｅａｓｕｒｅ）を通知する場合と通知しない場合がある。ｇＮＢ１０８によってサービングセル品質閾値（ｓ−Ｍｅａｓｕｒｅ）がＵＥ１２２に設定され、さらにサービングセル（ｓｅｒｖｉｎｇ  ｃｅｌｌ）であるＰＣｅｌｌのレイヤ３フィルタリング後の品質（ＲＳＲＰ値）がサービングセル品質閾値（ｓ−Ｍｅａｓｕｒｅ）よりも低いときに、測定対象によって指示された周波数およびＲＡＴの隣接セルの測定を行う。一方、ｇＮＢ１０８によってサービングセル品質閾値（ｓ−Ｍｅａｓｕｒｅ）がＵＥ１２２に設定されない場合、ＵＥ１２２は、サービングセルの品質（ＲＳＲＰ値）によらず、隣接セルの測定を行う。
【０１０３】
＜Ｍｅａｓｕｒｅｍｅｎｔ  Ｒｅｓｕｌｔについて＞
ＵＥ１２２は、イベントトリガ条件を満たした場合や、周期報告の最初の測定結果が利用可能（Ａｖａｉｌａｂｌｅ）になった場合や、周期報告のタイマーやタイマーＴ３２１が満了した場合などに測定報告のプロシージャを開始してもよい。測定報告のプロシージャ目的は、ネットワークに対して、ＵＥ１２２から測定報告（Ｍｅａｓｕｒｅｍｅｎｔ  ｒｅｐｏｒｔ）を転送することである。測定報告には、測定結果（Ｍｅａｓｕｒｅｍｅｎｔ  ｒｅｓｕｌｔ）が含まれる。測定報告のプロシージャがトリガされたそれぞれの測定識別子に対して、測定結果が設定される。
【０１０４】
測定結果には、測定識別子（ｍｅａｓＩｄ）、サービング測定対象測定結果（ｍｅａｓＲｅｓｕｌｔＳｅｒｖｉｎｇＭＯ）のリスト、隣接セル測定結果（ｍｅａｓＲｅｓｕｌｔＮｅｉｇｈＣｅｌｌＮＲ）が含まれてよい。隣接セル測定結果は、ＮＲの測定結果のリストとＥ−ＵＴＲＡの測定結果のリストの何れかが含まれてよい。ＮＲの測定結果およびＥ−ＵＴＲＡの測定結果には、物理セル識別子、セルの測定結果、セルグローバル識別子の
情報の一部あるいは全部が含まれる。サービング測定対象測定結果（ｍｅａｓＲｅｓｕｌｔＳｅｒｖｉｎｇＭＯ）は、サービングセルに関連付けられた測定対象の測定結果であり、サービングセルの識別子、サービングセルの測定結果、もっともよい隣接セルの測定結果、の一部あるいは全部が含まれてよい。
【０１０５】
測定報告のプロシージャでは、測定報告のプロシージャがトリガされたそれぞれの測定識別子に対して、上述のような測定結果がセットされ、もしＵＥ１２２がＥＮ−ＤＣを設定されているなら、ＳＲＢ３が設定されていれば送信のためにＳＲＢ３を通して前記測定結果を含む測定報告のメッセージを下位レイヤに提出してプロシージャを終了し、ＳＲＢ３が設定されていなければ、Ｅ−ＵＴＲＡのＲＲＣメッセージに測定報告のメッセージをエンカプセル化して（埋め込ませて）Ｅ−ＵＴＲＡのＭＣＧを通して下位レイヤに提出する。もし、ＵＥ１２２がＮＲ−ＤＣを設定され、この測定報告をトリガした測定設定がＳＣＧに紐づいている（Ａｓｓｏｓｉａｔｅｄ）なら、ＳＲＢ３が設定されていれば送信のためにＳＲＢ３を通して前記測定結果を含む測定報告のメッセージを下位レイヤに提出してプロシージャを終了し、ＳＲＢ３が設定されていなければ、ＮＲのＭＣＧのＲＲＣメッセージに測定報告のメッセージをエンカプセル化して（埋め込ませて）ＮＲのＭＣＧを通して下位レイヤに提出する。
【０１０６】
以上のように、本実施の形態では、ＵＥ１２２が測定設定の対象となるセルグループを考慮して測定の設定を行うことによってセルグループ毎に適切な測定を行うことができる。
【０１０７】
（実施の形態２）
図７から図９を用いて、本発明の実施の形態２を説明する。本実施の形態では、非特許文献８に記載のＭＲ−ＤＣを設定している端末装置において、ＳＣＧ側の一部又は全ての設定の解放が必要な際に、端末装置のＭＣＧ側よりＳＣＧ側に対し、ＳＣＧ側の解放を起動する方法の例を説明する。本発明の実施の形態２では特にＭＣＧ側がＮＲであり、ＳＣＧ側がＥ−ＵＴＲＡであるＭＲ−ＤＣである、ＮＥ−ＤＣを想定して説明するが、他のＭＲ−ＤＣや、同一のＲＡＴ（Ｅ−ＵＴＲＡ、ＮＲ等）をＭＣＧ、ＳＣＧに持つＤＣに適用されても良い。
【０１０８】
図７を用いて、本発明の実施の形態２におけるＵＥ１２２の処理方法の一例を説明する。
【０１０９】
ＵＥ１２２の処理部５０２は、ＵＥ１２２内部において、ＭＣＧ側から、ＳＣＧ側であるＥ−ＵＴＲＡ側に対し、ＭＲ−ＤＣにおけるＥ−ＵＴＲＡセカンダリセルグループ（Ｓｅｃｏｎｄａｒｙ  Ｃｅｌｌ  Ｇｒｏｕｐ：ＳＣＧ）の解放が起動されたか否かを判断する（ステップＳ７００）。なおステップＳ７００においてＭＲ−ＤＣとはＮＥ−ＤＣの事であっても良い。またＭＲ−ＤＣにおけるＥ−ＵＴＲＡセカンダリセルグループの解放とは、ＮＥ−ＤＣの解放と言っても良い。またＥ−ＵＴＲＡセカンダリセルグループとは、単にセカンダリセルグループと言っても良い。またＭＣＧとはＮＲであっても良い。
【０１１０】
次にＵＥ１２２の処理部５０２は、ＵＥ１２２内部において、ＭＣＧ側からＥ−ＵＴＲＡ側に対し、ＭＲ−ＤＣにおけるＥ−ＵＴＲＡセカンダリセルグループの解放が起動された事に基づいて、ＭＲ−ＤＣにおけるＥ−ＵＴＲＡセカンダリセルグループに設定されている各ＲＬＣベアラに対し、ＲＬＣエンティティを解放する。上述のＲＬＣエンティティの解放はＲＬＣエンティティの再確立の後に行われても良い（ステップＳ７０２）。なお、上述の「各ＲＬＣベアラに対し」は、「各ロジカルチャネル、又は各ロジカルチャネル識別子に対し」と言い換えられても良いし、追記されても良い。またＭＣＧとはＮＲであっても良い。
【０１１１】
ＵＥ１２２の処理部５０２は、上述のステップＳ７０２の処理に加え、ＵＥ１２２内部において、ＭＣＧ側からＥ−ＵＴＲＡ側に対し、ＭＲ−ＤＣにおけるＥ−ＵＴＲＡセカンダリセルグループの解放が起動された事に基づいて、Ｅ−ＵＴＲＡセカンダリセルグループで設定されたメジャメント設定の解放、及び／又は、セカンダリセルグループのＭＡＣが存在する場合にはセカンダリセルグループのＭＡＣの解放、及び／又はセカンダリセルグループの解放、及び／又はセカンダリセルグループの無線リンク失敗を判断するためのタイマーの停止、及び／又はセカンダリセルグループの変更の失敗を判断するためのタイマーの停止を行っても良い（ステップＳ７０４）。またＭＣＧとはＮＲであっても良い。
【０１１２】
なお、上述のＵＥ１２２内部における、ＭＣＧ側からＥ−ＵＴＲＡ側に対する、ＭＲ−ＤＣにおけるＥ−ＵＴＲＡセカンダリセルグループの解放の起動は、例えばＮＲ側において、ＲＲＣ接続の再確立（ＲＲＣ  Ｒｅ−ｅｓｔａｂｌｉｓｈｍｅｎｔ）を要求する際に、ＭＲ−ＤＣを設定しているか否かを判断し、ＭＲ−ＤＣを設定している事に基づいて、起動されても良い（不図示）。なお、ＭＲ−ＤＣを設定しているとは、ＭＲ−ＤＣを処理していると言っても良いし、ＭＲ−ＤＣを操作していると言っても良い。また上述の「ＭＲ−ＤＣを設定しているか否かを判断」は「ＮＥ−ＤＣを設定しているか否かを判断」と言っても良い。また上述の「ＭＲ−ＤＣを設定している事に基づいて、起動されても良い」は、「ＮＥ−ＤＣを設定している事に基づいて、起動されても良い」と言っても良い。
【０１１３】
また、上述のＵＥ１２２内部における、ＭＣＧ側からＥ−ＵＴＲＡ側に対する、ＭＲ−ＤＣにおけるＥ−ＵＴＲＡセカンダリセルグループの解放の起動は、例えばＮＲ側において、ＲＲＣ接続一時保留（ｓｕｓｐｅｎｄ）の解除（ｒｅｓｕｍｅ）を要求する際に、ＲＲＣ接続一時保留の時にＭＲ−ＤＣを設定していたか否か判断し、ＭＲ−ＤＣを設定していた事に基づいて、起動されても良い（不図示）。なお、各実施形態において、ＭＲ−ＤＣを設定していたとは、ＭＲ−ＤＣを処理していたと言っても良いし、ＭＲ−ＤＣを操作していたと言っても良い。また上述の「ＭＲ−ＤＣを設定していたか否かを判断」は「ＮＥ−ＤＣを設定していたか否かを判断」と言っても良い。また上述の「ＭＲ−ＤＣを設定していた事に基づいて、起動されても良い」は、「ＮＥ−ＤＣを設定していた事に基づいて、起動されても良い」と言っても良い。
【０１１４】
また、上述のＵＥ１２２内部における、ＮＲ側からＥ−ＵＴＲＡ側に対する、ＭＲ−ＤＣにおけるＥ−ＵＴＲＡセカンダリセルグループの解放の起動は、他の事象に基づいて起動されても良い。図８に本発明の実施の形態２における上述のＵＥ１２２内部において、ＮＲ側からＥ−ＵＴＲＡ側に対し、ＭＲ−ＤＣにおけるＥ−ＵＴＲＡセカンダリセルグループの解放が起動される一例を示す。
【０１１５】
ｇＮＢ１０８の処理部６０２は、ＲＲＣ接続の再設定処理をＵＥ１２２に処理を行わせるためのＲＲＣメッセージである、ＲＲＣ再設定メッセージを作成し、送信部６００よりＵＥ１２２へと送信する（不図示）。ＵＥ１２２の受信部５００は、ｇＮＢ１０８からＲＲＣ再設定メッセージを受信する（ステップＳ８００）。なおＵＥ１２２はＲＲＣ再設定メッセージをｅＮＢ１０２から受け取っても良い。
【０１１６】
次にＵＥ１２２の処理部５０２は、ステップＳ８００で受信したＲＲＣ再設定メッセージに、Ｅ−ＵＴＲＡのＳＣＧに関する設定の解放と追加が同時に行われる事を示す情報が含まれているか否かを判断する（ステップＳ８０４）。なお、上述の「Ｅ−ＵＴＲＡのＳＣＧに関する設定の解放と追加が同時に行われる事を示す情報が含まれているか否かを判断する」とは「Ｅ−ＵＴＲＡのＳＣＧに関する設定の解放と追加が同時に行われる事を示す情報が真（ｔｒｕｅ）であるか偽（ｆａｌｓｅ）であるかを判断する」と言い換えても良い。また上述の真（ｔｒｕｅ）／偽（ｆａｌｓｅ）は、ｅｎａｂｌｅ／ｄｉｓａｂｌｅ
、ｏｎ／ｏｆｆ、１／０などの、相反する意味を持つ別の記述で置き換えられても良い。また、上述の「Ｅ−ＵＴＲＡのＳＣＧに関する設定の解放と追加が同時に行われる」とは、「Ｅ−ＵＴＲＡのＳＣＧに関する全ての設定の解放と追加が同時に行われる」と言い換えても良い。また上述の「Ｅ−ＵＴＲＡのＳＣＧに関する設定」や「Ｅ−ＵＴＲＡのＳＣＧに関する全て設定」とは、Ｅ−ＵＴＲＡにより設定されたものであってもよく、Ｅ−ＵＴＲＡのＲＲＣメッセージにより設定されたものであっても良い。
【０１１７】
次にＵＥ１２２の処理部５０２は、上述のＲＲＣ再設定メッセージに、Ｅ−ＵＴＲＡのセカンダリセルグループに関する設定の解放と追加が同時に行われる事を示す情報が含まれている事に基づいて、ＮＲ側からＥ−ＵＴＲＡ側に対し、ＭＲ−ＤＣにおけるＥ−ＵＴＲＡセカンダリセルグループの解放を起動する（ステップＳ８０４）。なお、ステップＳ８０４におけるＭＲ−ＤＣとは、ＮＥ−ＤＣの事であっても良い。なお、上述の「Ｅ−ＵＴＲＡのＳＣＧに関する設定の解放と追加が同時に行われる事を示す情報が含まれている事に基づいて」とは「Ｅ−ＵＴＲＡのＳＣＧに関する設定の解放と追加が同時に行われる事を示す情報が真（ｔｒｕｅ）である事に基づいて」と言い換えても良い。また上述の真（ｔｒｕｅ）は、ｅｎａｂｌｅ、ｏｎ、１などの、この情報が有効である事を意味する別の表現で置き換えられても良い。また、上述の「「Ｅ−ＵＴＲＡのＳＣＧに関する設定の解放と追加が同時に行われる事を示す情報」は、Ｅ−ＵＴＲＡ  ＳＣＧ側でフル設定が必要な場合に含まれても良いし、真（ｔｒｕｅ）、ｅｎａｂｌｅ、ｏｎ、１などに設定され事により、この情報が有効である事を意味して良い。
【０１１８】
なお、図８に示す処理の一例は、ＭＲ−ＤＣにおけるＥ−ＵＴＲＡセカンダリセルグループの解放だけでなく、ＮＲ−ＤＣにおけるＮＲセカンダリセルグループの解放に使われても良い。ＮＲ−ＤＣにおけるＮＲセカンダリセルグループの解放を行う場合、上述の「Ｅ−ＵＴＲＡのＳＣＧに関する設定」は「ＮＲのＳＣＧに関する設定」と言い換えられても良い。
【０１１９】
図９に、本発明の実施の形態２における、図８において、ＲＲＣ再設定メッセージに含まれる、セカンダリセルグループに関する設定の解放と追加が同時に行われる事を示す情報のＡＳＮ．１記述の一例を示す。図９の例において、ＲＲＣ再設定メッセージの情報要素を示す、ＲＲＣＲｅｃｏｎｆｉｇｕｒａｔｉｏｎ−ＩＥｓという記述の中に、無線ベアラの設定を示す情報要素である、ＲａｄｉｏＢｅａｒｅｒＣｏｎｆｉｇが含まれ、更に無線ベアラの設定情報を示す情報要素の中に、上述のセカンダリセルグループに関する設定の解放と追加が同時に行われる情報事を示す情報のフィールドである、ｎｅｄｃ−ＲｅｌｅａｓｅＡｎｄＡｄｄ−ｒ１５が含まれる。各情報を示す情報要素やフィールドの名称はこの通りでなくても良い。
【０１２０】
また本発明の実施の形態２において、ＵＥ１２２内部において、ＭＣＧ側からＥ−ＵＴＲＡ側に対し、ＭＲ−ＤＣにおけるＥ−ＵＴＲＡセカンダリセルグループの解放が起動された事に基づく処理の事を、ＮＥ−ＤＣ解放と呼んでも良いし、Ｅ−ＵＴＲＡ  ＭＲ−ＤＣ解放、又はＭＲ−ＤＣ  Ｅ−ＵＴＲＡ  ＳＣＧ解放などと呼んでも良い。または別の名称で呼んでも良い。
【０１２１】
このように、本発明の実施の形態２では、ＵＥ１２２内部において、ＭＣＧであるＮＲ側からＥ−ＵＴＲＡ側に対し、ＭＲ−ＤＣにおけるＥ−ＵＴＲＡセカンダリセルグループの解放が起動された事に基づいて、Ｅ−ＵＴＲＡセカンダリセルグループの解放処理を行う事ができる。即ち、端末装置は、ＭＲ−ＤＣのプロトコル処理の複雑さを軽減し、効率的に通信を行うことができる。
【０１２２】
（実施の形態３）
図１０から図１４を用いて、本発明の実施の形態３を説明する。本発明の実施の形態３では特にＭＣＧ側がＥ−ＵＴＲＡであり、ＳＣＧ側がＮＲであるＭＲ−ＤＣである、ＥＮ−ＤＣ及び／又はＮＧＥＮ−ＤＣ、及び／又はＭＣＧ側もＳＣＧ側も共にＮＲであるＮＲ−ＤＣを想定して説明するが、他のＭＲ−ＤＣや、他の同一のＲＡＴをＭＣＧ、ＳＣＧに持つＤＣに適用されても良い。
【０１２３】
図１０を用いて、本発明の実施の形態３におけるＵＥ１２２の処理方法の一例を説明する。
【０１２４】
ＵＥ１２２の処理部５０２は、ＵＥ１２２内部において、ＭＣＧ側から、ＳＣＧ側であるＮＲ側に対し、ＭＲ−ＤＣ及び／又はＮＲ−ＤＣ（ＭＣＧ及びＳＣＧ両方においてＮＲをＲＡＴとするＤＣ）におけるＮＲセカンダリセルグループ（Ｓｅｃｏｎｄａｒｙ  Ｃｅｌｌ  Ｇｒｏｕｐ：ＳＣＧ）の解放が起動されたか否かを判断する（ステップＳ１０００）。なおステップＳ１０００においてＭＲ−ＤＣとはＥＮ−ＤＣ及び／又はＮＧＥＮ−ＤＣ及び／又はＮＲ−ＤＣの事であっても良い。またＮＲセカンダリセルグループとは、単にセカンダリセルグループと言っても良い。またＭＣＧとはＥ−ＵＴＲＡであっても良いし、ＮＲであっても良い。また、ステップＳ１０００において、ＮＲセカンダリセルグループ（Ｓｅｃｏｎｄａｒｙ  Ｃｅｌｌ  Ｇｒｏｕｐ：ＳＣＧ）の解放が起動されたか否かではなく、ＭＲ−ＤＣの解放が起動されたか否かを判断してもよい。ＭＲ−ＤＣの解放が起動された場合、ＭＲ−ＤＣの解放のプロシージャにおいて、ＮＲセカンダリセルグループの解放が実行（起動）されてもよい。また、ＥＮ−ＤＣの解放とＭＲ−ＤＣの解放とは区別されてもよい。すなわち、ＥＮ−ＤＣにおけるＮＲセカンダリセルグループの解放ではＥＮ−ＤＣの解放が起動され、ＭＲ−ＤＣ（少なくともＮＥ−ＤＣおよび／またはＮＲ−ＤＣを含み、ＥＮ−ＤＣを含まないＤＣ）におけるＮＲセカンダリセルグループの解放ではＭＲ−ＤＣの解放が起動されてよい。このとき、ＭＲ−ＤＣの解放は、さらにＮＥ−ＤＣの解放や、ＮＲ−ＤＣの解放などに細分化されてもよい。
【０１２５】
次にＵＥ１２２の処理部５０２は、ＵＥ１２２内部において、ＭＣＧ側からＮＲ側に対し、ＭＲ−ＤＣ及び／又はＮＲ−ＤＣにおけるＮＲセカンダリセルグループの解放が起動された事に基づいて、ＭＲ−ＤＣにおけるＮＲセカンダリセルグループに設定されている各ＲＬＣベアラに対し、ＲＬＣエンティティを解放する。（ステップＳ１００２）。なお、上述の「各ＲＬＣベアラに対し」は、「各ロジカルチャネル、又は各ロジカルチャネル識別子に対し」と言い換えられても良いし、追記されても良い。またＭＣＧとはＥ−ＵＴＲＡであっても良いし、ＮＲであっても良い。
【０１２６】
ＵＥ１２２の処理部５０２は、上述のステップＳ１００２の処理に加え、ＵＥ１２２内部において、ＭＣＧ側からＮＲ側に対し、ＭＲ−ＤＣ及び／又はＮＲ−ＤＣにおけるＮＲセカンダリセルグループの解放が起動された事に基づいて、メジャメント設定の解放、及び／又は、セカンダリセルグループのＭＡＣが存在する場合にはセカンダリセルグループのＭＡＣの解放、及び／又はセカンダリセルグループの解放、及び／又はセカンダリセルグループの無線リンク失敗を判断するためのタイマーの停止、及び／又はセカンダリセルグループの変更の失敗を判断するためのタイマーの停止を行っても良い（ステップＳ１００４）。ここで解放されるメジャメント設定とは、ＮＲのＲＲＣによって設定されたメジャメント設定であってもよいし、ＳＣＧのためのメジャメント設定であってもよいし、ＳＣＧに関連づけられたメジャメント設定であってもよいし、ＳＣＧによって設定されたメジャメント設定であってもよいし、セカンダリセルグループの設定を行うＲＲＣメッセージによって設定されたメジャメント設定であってもよいし、Ｅ−ＵＴＲＡのＲＲＣメッセージに含まれるＮＲのセカンダリセルグループの設定を行う情報要素（ｎｒ−ＳｅｃｏｎｄａｒｙＣｅｌｌＧｒｏｕｐＣｏｎｆｉｇ−ｒ１５）に含まれるＮＲのＲＲＣメッセージ（例えばＲＲＣ再設定メッセージ）によって設定されたメジャメント設定であってもよい。
【０１２７】
なお、ＭＲ−ＤＣの解放の処理とセカンダリセルグループの解放の処理とは別々の処理であってよい。例えば、ＭＣＧがＮＲのとき、ＭＲ−ＤＣの解放が起動されると、ＵＥ１２２は、ＳＲＢ３が存在すればＳＲＢ３を解放し、もしＵＥ１２２がＮＲのセカンダリセルグループを設定されているなら、特定のメジャメント設定を解放し、セカンダリセルグループを解放する処理を行い、もしＵＥ１２２がＮＲのセカンダリセルグループを設定されていないなら（すなわちＵＥ１２２がＥ−ＵＴＲＡのセカンダリセルグループを設定されているなら）、実施の形態２に示したＮＥ−ＤＣ解放あるいはＳＣＧに関する設定の解放を起動してよい。ここで、特定のメジャメント設定は、ＳＣＧのためのメジャメント設定であってもよいし、ＳＣＧに関連づけられたメジャメント設定であってもよいし、ＳＣＧによって設定されたメジャメント設定であってもよいし、セカンダリセルグループの設定を行うＲＲＣメッセージによって設定されたメジャメント設定であってもよいし、ｎｒ−ＳＣＧに含まれるＲＲＣメッセージ（例えばＲＲＣ再設定メッセージ）によって設定されたメジャメント設定であってもよい。また、セカンダリセルグループを解放する処理は、（Ａ）もしＳＣＧ  ＭＡＣが設定されていたらＳＣＧ  ＭＡＣをリセットする、（Ｂ）ＳＣＧの設定の一部である各々のＲＬＣベアラに対してＲＬＣベアラの解放を行う、（Ｃ）ＳＣＧ設定の解放を行う、（Ｄ）ＳＣＧの無線リンク失敗を判断するためのタイマーを停止する、（Ｅ）ＳＣＧの変更の失敗を判断するためのタイマーを停止する、の一部あるいは全部の処理を含んでよい。
【０１２８】
図１１は本発明の実施の形態３における、ＵＥ１２２内部において、Ｅ−ＵＴＲＡ側からＮＲ側に対し、ＭＲ−ＤＣにおけるＮＲセカンダリセルグループの解放が起動される一例を示す図である。
【０１２９】
ＵＥ１２２の処理部５０２は、Ｅ−ＵＴＲＡ側において、ＲＲＣ接続の再確立（ＲＲＣ
Ｃｏｎｎｅｃｔｉｏｎ  Ｒｅ−ｅｓｔａｂｌｉｓｈｍｅｎｔ）を要求する際に、ＭＲ−ＤＣを設定しているか否かを判断し（ステップＳ１１００）、ＭＲ−ＤＣを設定している事に基づいて、ＭＲ−ＤＣにおけるＮＲセカンダリセルグループの解放が起動されても良い（ステップＳ１１０２）。なお、ＭＲ−ＤＣを設定しているとは、ＭＲ−ＤＣを処理していると言っても良いし、ＭＲ−ＤＣを操作していると言っても良い。また上述の「ＭＲ−ＤＣを設定しているか否かを判断する」、とは、「ＥＮ−ＤＣ又はＮＧＥＮ−ＤＣを設定しているか否かを判断する」と言っても良い。また上述の「ＭＲ−ＤＣを設定している事に基づいて、ＭＲ−ＤＣにおけるＮＲセカンダリセルグループの解放が起動されても良い。」とは「ＥＮ−ＤＣ又はＮＧＥＮ−ＤＣを設定している事に基づいて、ＭＲ−ＤＣにおけるＮＲセカンダリセルグループの解放が起動されても良い。」と言っても良いし、「ＥＮ−ＤＣ又はＮＧＥＮ−ＤＣを設定している事に基づいて、ＥＮ−ＤＣの解放（またはＭＲ−ＤＣの解放）が起動されても良い。」と言っても良い。
【０１３０】
図１２は本発明の実施の形態３における、ＵＥ１２２内部において、Ｅ−ＵＴＲＡ側からＮＲ側に対し、ＭＲ−ＤＣにおけるＮＲセカンダリセルグループの解放が起動される別の一例を示す図である。
【０１３１】
ＵＥ１２２の処理部５０２は、Ｅ−ＵＴＲＡ側において、ＲＲＣ接続一時保留（ｓｕｓｐｅｎｄ）の解除（ｒｅｓｕｍｅ）を要求する際に、ＲＲＣ接続一時保留の時にＭＲ−ＤＣを設定していたか否か判断し（ステップＳ１２００）、ＭＲ−ＤＣにおけるＮＲセカンダリセルグループの解放がＭＲ−ＤＣを設定していた事に基づいて、起動されても良い（ステップＳ１２０２）。また上述の「ＭＲ−ＤＣを設定していたか否かを判断する」、とは、「ＥＮ−ＤＣ又はＮＧＥＮ−ＤＣを設定していたか否かを判断する」と言っても良い。また上述の「ＭＲ−ＤＣを設定していた事に基づいて、ＭＲ−ＤＣにおけるＮＲセカンダリセルグループの解放が起動されても良い。」とは「ＥＮ−ＤＣ又はＮＧＥＮ−ＤＣを設定していた事に基づいて、ＭＲ−ＤＣにおけるＮＲセカンダリセルグループの解放が起動されても良い。」と言っても良いし、「ＥＮ−ＤＣ又はＮＧＥＮ−ＤＣを設定している事に基づいて、ＥＮ−ＤＣの解放（またはＭＲ−ＤＣの解放）が起動されても良い。」と言っても良い。
【０１３２】
また、上述のＵＥ１２２内部における、ＭＣＧ側からＮＲ側に対する、ＭＲ−ＤＣ及び／又はＮＲ−ＤＣにおけるＮＲセカンダリセルグループの解放の起動は、他の事象に基づいて起動されても良い。例えば、Ｅ−ＵＴＲＡにおいて、ＮＲのセカンダリセルグループに関する全ての設定の解放と追加が同時に行われる事を示す情報を含むＲＲＣコネクション再設定メッセージを受け取る事により、起動されても良い。なお、上述の「ＮＲのセカンダリセルグループに関する全ての設定の解放と追加が同時に行われる事を示す情報が含まれている事に基づいて」とは「ＮＲのセカンダリセルグループに関する全ての設定の解放と追加が同時に行われる事を示す情報が真（ｔｒｕｅ）である事に基づいて」と言い換えても良い。
【０１３３】
図１３は本発明の実施の形態３における、ＵＥ１２２内部において、ＭＲ−ＤＣにおけるＮＲセカンダリセルグループの解放が起動される一例を示す図である。
【０１３４】
ＵＥ１２２の処理部５０２は、ＮＲにおいて、ＲＲＣ接続の再確立（ＲＲＣ  Ｃｏｎｎｅｃｔｉｏｎ  Ｒｅ−ｅｓｔａｂｌｉｓｈｍｅｎｔ）を要求する際に、ＭＲ−ＤＣを設定しているか否かを判断し（ステップＳ１３００）、ＭＲ−ＤＣを設定している事に基づいて、ＭＲ−ＤＣにおけるセカンダリセルグループの解放が起動されても良い（ステップＳ１３０２）。なお、ＭＲ−ＤＣを設定しているとは、ＭＲ−ＤＣを処理していると言っても良いし、ＭＲ−ＤＣを操作していると言っても良い。また、ステップＳ１３０２において、セカンダリセルグループの解放が起動されるのではなく、ＭＲ−ＤＣの解放が実行（起動）されてもよい。
【０１３５】
図１４は本発明の実施の形態３における、ＵＥ１２２内部において、ＭＲ−ＤＣにおけるセカンダリセルグループの解放が起動される別の一例を示す。
【０１３６】
ＵＥ１２２の処理部５０２は、ＲＲＣ接続一時保留（ｓｕｓｐｅｎｄ）の解除（ｒｅｓｕｍｅ）を要求する際に、ＲＲＣ接続一時保留の時にＭＲ−ＤＣを設定していたか否か判断し（ステップＳ１４００）、ＭＲ−ＤＣにおけるＮＲセカンダリセルグループの解放がＭＲ−ＤＣを設定していた事に基づいて、起動されても良い（ステップＳ１４０２）。なお、ＭＲ−ＤＣを設定しているとは、ＭＲ−ＤＣを処理していると言っても良いし、ＭＲ−ＤＣを操作していると言っても良い。また、ステップＳ１３０２において、セカンダリセルグループの解放が起動されるのではなく、ＭＲ−ＤＣの解放が実行（起動）されてもよい。
【０１３７】
また、上述のＵＥ１２２内部における、ＭＣＧ側からＮＲ側に対する、ＭＲ−ＤＣ及び／又はＮＲ−ＤＣにおけるＮＲセカンダリセルグループの解放の起動は、他の事象に基づいて起動されても良い。例えば、Ｅ−ＵＴＲＡにおいて、ＮＲのセカンダリセルグループに関する全ての設定の解放と追加が同時に行われる事を示す情報を含むＲＲＣコネクション再設定メッセージを受け取る事により、起動されても良い。なお、上述の「ＮＲのセカンダリセルグループに関する全ての設定の解放と追加が同時に行われる事を示す情報が含まれている事に基づいて」とは「ＮＲのセカンダリセルグループに関する全ての設定の解放と追加が同時に行われる事を示す情報が真（ｔｒｕｅ）である事に基づいて」と言い換えても良い。
【０１３８】
また本発明の実施の形態３において、ＵＥ１２２内部において、ＭＣＧ側からＮＲ側に対し、ＭＲ−ＤＣ及び／又はＮＲ−ＤＣにおけるＥ−ＵＴＲＡセカンダリセルグループの解放が起動された事に基づく処理の事を、ＥＮ−ＤＣ解放と呼んでも良いし、ＮＧＥＮ−ＤＣ解放と呼んでも良いし、ＥＮ−ＤＣ又はＮＧＥＮ−ＤＣ解放と呼んでも良い。また、ＮＲ  ＭＲ−ＤＣ解放、又はＭＲ−ＤＣ  ＮＲ  ＳＣＧ解放、ＮＲ  ＳＣＧ解放、  ＳＣＧ解放などと呼んでも良い。または別の名称で呼んでも良い。
【０１３９】
このように、本発明の実施の形態３では、ＵＥ１２２内部において、ＭＣＧ側からＮＲ側に対し、ＭＲ−ＤＣ及び／又はＮＲ−ＤＣにおけるＮＲセカンダリセルグループの解放が起動された事に基づいて、ＮＲセカンダリセルグループの解放処理を行う事ができる。即ち、端末装置は、ＭＲ−ＤＣのプロトコル処理の複雑さを軽減し、効率的に通信を行うことができる。
【０１４０】
また、上記各実施形態において、Ｅ−ＵＴＲＡのセカンダリセルグループおよび／またはＮＲのセカンダリセルグループがＵＥ１２２に対して複数設定されている場合、条件によって、ＲＲＣメッセージによって指定されたセカンダリセルグループのみ解放が起動されてもよいし、すべてのセカンダリセルグループに対してセカンダリセルグループの解放が起動されてもよい。例えば、Ｅ−ＵＴＲＡのＲＲＣ接続再設定メッセージおよびＮＲのＲＲＣ再設定メッセージによってセカンダリセルグループの解放が指示される場合に、指定される一つまたは複数のセカンダリセルグループの解放が起動されてもよい。また、ＲＲＣ接続の復帰（Ｒｅｓｕｍｅ）やＲＲＣ接続の再確立（ＲＲＣ  Ｃｏｎｎｅｃｔｉｏｎ
Ｒｅ−ｅｓｔａｂｌｉｓｈｍｅｎｔ）の処理において、すべてのセカンダリセルグループの解放が起動されてもよい。このとき、例えばＭＣＧがＮＲであり、ＳＣＧにＥ−ＵＴＲＡのＳＣＧとＮＲのＳＣＧの両方が含まれる場合、Ｅ−ＵＴＲＡのセカンダリセルグループに対してＮＥ−ＤＣの解放が起動され、ＮＲのセカンダリセルグループに対してＭＲ−ＤＣの解放が起動されてもよい。
【０１４１】
（実施の形態４）
本発明の実施の形態４を説明する。本発明の実施の形態４ではＭＣＧ側がＮＲであり、ＳＣＧ側がＮＲであるＭＲ−ＤＣを想定して説明するが、これに限らず他のＭＲ−ＤＣに適用されても良い。
【０１４２】
ＵＥ１２２は、ｇＮＢ１０８から受けとったＲＲＣメッセージ（例えばＲＲＣ再設定メッセージ）にセルグループに関する設定（ＣｅｌｌＧｒｏｕｐＣｏｎｆｉｇ）が含まれ、セルグループに関する設定にセカンダリセルの追加および／または修正を指示する情報要素（ｓＣｅｌｌＴｏＡｄｄＭｏｄＬｉｓｔ）が含まれるなら、セカンダリセルの追加および／または修正のプロシージャを実行してよい。また、ｓＣｅｌｌＴｏＡｄｄＭｏｄＬｉｓｔには、一つ以上のセカンダリセル設定情報要素が含まれ、各々のセカンダリセル設定情報要素には、セカンダリセルを識別するための識別子（インデックス）と、その識別子に対応するサービングセルの設定情報が含まれてよい。
【０１４３】
セカンダリセルの追加および／または修正のプロシージャにおいて、ＵＥ１２２は、ｓＣｅｌｌＴｏＡｄｄＭｏｄＬｉｓｔに含まれる現状ＵＥ１２２に設定されていないセカンダリセルの識別子（インデックス）の各々に対して次の（Ａ）から（Ｃ）の一部あるいは全部の処理を行う。（Ａ）そのセカンダリセルのインデックスに対応するサービングセルの設定情報に基づき、ｓＣｅｌｌＴｏＡｄｄＭｏｄＬｉｓｔの対象となるセルグループにセカンダリセルを追加する。（Ｂ）そのセカンダリセルの状態を不活性状態（Ｄｅａｃｔｉｖａｔｅｄ  ｓｔａｔｅ）となるよう下位レイヤを設定する。（Ｃ）ｓＣｅｌｌＴｏＡｄｄＭｏｄＬｉｓｔの対象となるセルグループの変数ＶａｒＭｅａｓＣｏｎｆｉｇの測定識別子のリストに含まれる各々の測定識別子に対して、もし、ｓＣｅｌｌＴｏＡｄｄＭｏ
ｄＬｉｓｔの対象となるセルグループにおいて、セカンダリセルが測定識別子に紐づけられた測定に適用されず、かつ、もし、その測定に適用されないセカンダリセルが、この測定識別子のためのＶａｒＭｅａｓＲｅｐｏｒｔＬｉｓｔのトリガされたセルのリスト（ｃｅｌｌｓＴｒｉｇｇｅｒｅｄＬｉｓｔ）に含まれるなら、このｃｅｌｌｓＴｒｉｇｇｅｒｅｄＬｉｓｔからこのセカンダリセルを削除する。
【０１４４】
ＵＥ１２２は、ｓＣｅｌｌＴｏＡｄｄＭｏｄＬｉｓｔに含まれる現状ＵＥ１２２に設定されているセカンダリセルの識別子（インデックス）の各々に対しては、その識別子に対応するサービングセルの設定情報に基づき、その識別子のセカンダリセルを修正する。
【０１４５】
このように、セカンダリセルを追加および／または修正するセルグループを考慮してメジャメントに関する変数を扱うことにより、適切なメジャメントが可能となる。
【０１４６】
また、ＲＲＣ接続再確立のプロシージャでは、ＭＲ−ＤＣを考慮するためにセカンダリセルグループのプライマリセルであるＰＳＣｅｌｌおよびセカンダリセルを削除（解放）することが検討されているが、セルの削除（解放）に伴うメジャメント設定については規定されていないため、本発明の実施形態によってメジャメント設定を適切に設定することができる。また、ＰＳＣｅｌｌおよびセカンダリセルを削除（解放）するのではなく、ＭＲ−ＤＣの解放を起動することにより、様々な条件におけるメジャメント設定に関する処理を一元的に管理することが可能となる。
【０１４７】
本発明の実施形態における、ＵＥ１２２（端末装置）、ｇＮＢ１０８および／またはｅＮＢ（基地局装置）の種々の態様について説明する。
【０１４８】
（１）本発明の第１の態様は、端末装置であって、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する、処理部を有する。
【０１４９】
（２）第１の態様において、端末装置はさらに、ＲＲＣ接続の再確立が起動された事および／またはＲＲＣ接続の復帰が起動された事に基づいて、ＭＲ−ＤＣが設定されている場合にＭＲ−ＤＣの解放を起動する。
【０１５０】
（３）本発明の第２の態様は基地局装置であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させる処理部を有する。
【０１５１】
（４）本発明の第３の態様は端末装置に適用される方法であって、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する、ステップを少なくとも含む。
【０１５２】
（５）第３の態様において、前記方法は、ＲＲＣ接続の再確立が起動された事および／またはＲＲＣ接続の復帰が起動された事に基づいて、ＭＲ−ＤＣが設定されている場合にＭＲ−ＤＣの解放を起動するステップを含む。
【０１５３】
（６）本発明の第４の態様は基地局装置に適用される方法であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させるステップを少なくとも含む。
【０１５４】
（７）本発明の第５の態様は、端末装置に実装される集積回路であって、ＭＲ−ＤＣの解放が起動された事に基づいて、もしＭＲ−ＤＣにおいてＮＲセカンダリセルグループが設定されているなら、少なくとも前記セカンダリセルグループに対して設定されたメジャメント設定を解放し、ＮＲセカンダリセルグループが設定されていないなら、ＮＥ−ＤＣの解放を起動する機能を前記端末装置に対して発揮させる。
【０１５５】
（８）第５の態様において、集積回路は、ＲＲＣ接続の再確立が起動された事および／またはＲＲＣ接続の復帰が起動された事に基づいて、ＭＲ−ＤＣが設定されている場合にＭＲ−ＤＣの解放を起動する機能を前記端末装置に対して発揮させる。
【０１５６】
（９）本発明の第６の態様は基地局装置に実装される集積回路であって、ＭＲ−ＤＣの解放を端末装置に通知することによって、ＭＲ−ＤＣにおいてＮＲセカンダリセルグループが設定されている前記端末装置に、少なくとも前記セカンダリセルグループに対して設定されたメジャメント設定を解放させ、ＮＲセカンダリセルグループが設定されていない前記端末装置に、ＮＥ−ＤＣの解放を起動させる機能を前記基地局装置に対して発揮させる。
【０１５７】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５８】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１５９】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１６０】
また、上述した実施形態に用いた装置の各機能ブロック、または諸特徴は、電気回路、すなわち典型的には集積回路あるいは複数の集積回路で実装または実行され得る。本明細
書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１６３】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
３１２  ＮＡＳ
５００  受信部
５０２、６０２  処理部
６００  送信部
【図１】
2020129718.tif 000003
【図２】
2020129718.tif 000004
【図３】
2020129718.tif 000005
【図４】
2020129718.tif 000006
【図５】
2020129718.tif 000007
【図６】
2020129718.tif 000008
【図７】
2020129718.tif 000009
【図８】
2020129718.tif 000010
【図９】
2020129718.tif 000011
【図１０】
2020129718.tif 000012
【図１１】
2020129718.tif 000013
【図１２】
2020129718.tif 000014
【図１３】
2020129718.tif 000015
【図１４】
2020129718.tif 000016